(57)【要約】      （修正有）【課題】組立てが簡単で、信頼性を向上した時計ベルトの固定構造を提供する。【解決手段】第１固定部品１１、第２固定部品１２、第１固定軸１３と第２固定軸１４を含み、第１固定部品と第２固定部品にはいずれも２つの差し込み穴が設置され、第１固定軸、第２固定軸は差し込み穴中に設置され、第１固定部品には差し込み穴と連通する第１ロック穴が設置され、第２固定部品には対応する第２ロック穴が設置され、第２ロック穴は差し込み穴と連通し、第１固定軸の両端または第２固定軸の両端にはスナップが設置され、第１ロック穴や第２ロック穴にはいずれもスナップに伸ばされるピンが設置される。第１固定軸、第２固定軸を対応する差し込み穴に挿し入れ、ピンをスナップに入れてロッキングする。組立てが簡単で、ロッキング構造が第１固定軸と第２固定軸の脱着を防げるので、信頼性が良くなる。【選択図】図１
0003202960.tif 000002
【実用新案登録請求の範囲】
【請求項１】
少なくとも第１固定部品、第２固定部品および第１固定部品と第２固定部品の接続に使われる第１固定軸と第２固定軸を含み、前記第１固定部品と第２固定部品にはいずれも少なくとも２つの差し込み穴が設置され、前記第１固定軸、第２固定軸は差し込み穴中に設置され、前記第１固定部品には差し込み穴と連通する少なくとも１つの第１ロック穴が設置され、前記第２固定部品には少なくとも１つのロック穴と対応する第２ロック穴が設置され、前記第２ロック穴は差し込み穴と連通し、前記第１固定軸の両端または第２固定軸の両端にはスナップが設置され、前記第１ロック穴、第２ロック穴にはいずれもスナップに伸ばされるピンが設置される、ことを特徴とする時計ベルトの固定構造。
【請求項２】
前記第１固定部品には差し込み穴と連通する２つの第１ロック穴が設置され、前記第２固定部品には差し込み穴と連通する２つの第２ロック穴が設置され、前記第１固定軸と第２固定軸の両端にはいずれもスナップが設置される、ことを特徴とする請求項１に記載の時計ベルトの固定構造。
【請求項３】
前記第１固定部品には差し込み穴と連通する２つの第１ロック穴が設置され、前記第１固定軸の両端にはいずれもスナップが設置され、前記第２固定軸の一端にはスナップが設置される、ことを特徴とする請求項１に記載の時計ベルトの固定構造。
【請求項４】
前記第１固定軸または第２固定軸は軸パイプを含み、前記軸パイプの両端には差し込み穴に伸ばされる突き出しピンが設置され、前記軸パイプの中には突き出しピンを駆動するスプリングが設置される、ことを特徴とする請求項１に記載の時計ベルトの固定構造。
【請求項５】
前記スナップは柱形の溝である、ことを特徴とする請求項１に記載の時計ベルトの固定構造。
【請求項６】
前記ピンは第１ロック穴または第２ロック穴と嵌め合う、ことを特徴とする請求項１〜５のいずれか一項に記載の時計ベルトの固定構造。
【考案の詳細な説明】
【技術分野】
【０００１】
本考案は時計ベルトの技術分野に関するもので、特に時計ベルトの固定構造に関するものである。
【背景技術】
【０００２】
時計ベルトは主に腕時計に使われるが、着用の快適性を求めて、現在時計ベルトには主に以下２種がある。その一つ目は、金属チェーン式ベルト、その二つ目は皮革類のベルトで、既存のチェーン式ベルトの一種として、プラスチックチェーン式ベルト構造には、幾つかの直列接続のプラスチック・チェーンリンクを含み、プラスチック・チェーンリンクの左側中部には第１つばがあり、第１つば上には第１従方向穴があり、プラスチック・チェーンリンクの右側両端の２つの第２つば上にはそれぞれ第２従方向穴があり、第１従方向穴の中には金属パイプが設置され、金属パイプの中には金属ピンが設置されるが、このようなチェーン式ベルトは主に金属ピンによって互いに接続されるため、構造が比較的煩雑になり、金属ピンが意外に脱着し易くて、ベルト破断の原因となるので、本考案者は既存ベルトに存在する問題について、以下の改善を行った。
【考案の概要】
【考案が解決しようとする課題】
【０００３】
本考案は既存技術に存在する問題に対し、時計ベルトの固定構造を提供することによって、組立てを便利にさせ、使用上の信頼性を向上することに目的がある。
【課題を解決するための手段】
【０００４】
少なくとも第１固定部品や第２固定部品および第１固定部品と第２固定部品の接続に使われる第１固定軸と第２固定軸を含み、前記第１固定部品と第２固定部品にはいずれも少なくとも２つの差し込み穴が設置され、前記第１固定軸、第２固定軸は差し込み穴中に設置され、前記第１固定部品には差し込み穴と連通する少なくとも１つの第１ロック穴が設置され、前記第２固定部品には少なくとも１つのロック穴と対応する第２ロック穴が設置され、前記第２ロック穴は差し込み穴と連通し、前記第１固定軸の両端または第２固定軸の両端にはスナップが設置され、前記第１ロック穴や第２ロック穴にはいずれもスナップに伸ばされるピンが設置される、時計ベルトの固定構造。
【０００５】
さらに、前記第１固定部品には差し込み穴と連通する２つの第１ロック穴が設置され、前記第２固定部品には差し込み穴と連通する２つの第２ロック穴が設置され、前記第１固定軸にと第２固定軸の両端にはいずれもスナップが設置される。
【０００６】
さらに、前記第１固定部品には差し込み穴と連通する２つの第１ロック穴が設置され、前記第１固定軸の両端にはいずれもスナップが設置され、前記第２固定軸の一端にはスナップが設置される。
さらに、前記第１固定軸または第２固定軸は軸パイプを含み、前記軸パイプの両端には差し込み穴に伸ばされる突き出しピンが設置され、前記軸パイプの中には突き出しピンを駆動するスプリングが設置される。
【０００７】
さらに、前記スナップは柱形の溝である。
さらに、前記ピンは第１ロック穴または第２ロック穴としっかりと嵌め合う。
【０００８】
本考案の有益な効果は、既存技術に比べて、本考案の時計ベルトの固定構造は、製造に際に、第１固定軸や第２固定軸を差し込み穴中に挿し入れた後、ピンをスナップに入れてロッキングすることで済むので、組立てがとても簡単になり、ロッキング構造は第１固定軸と第２固定軸の意外の脱着を防げるので、使用の信頼性がより良くなる。
【図面の簡単な説明】
【０００９】
【図１】図１は本考案の実施例１の立体図である。
【図２】図２は本考案の実施例１の構造分解図である。
【図３】図３は本考案の第１固定軸または第２固定軸の構造図である。
【図４】図４は本考案の実施例２の構造図である。
【図５】図５は本考案の実施例３の構造図である。
【考案を実施するための形態】
【００１０】
次は添付図に合わせて本考案に対して詳しく説明する。
【００１１】
＜実施例１＞
図１から図５までのとおり、時計ベルトの固定構造には、少なくとも第１固定部品１１や第２固定部品１２および第１固定部品１１と第２固定部品１２の接続に使われる第１固定軸１３と第２固定軸１４を含み、前記第１固定部品１１と第２固定部品１２にはいずれも少なくとも２つの差し込み穴１５が設置され、前記第１固定軸１３、第２固定軸１４は差し込み穴１５中に設置され、前記第１固定部品１１には差し込み穴１５と連通する少なくとも１つの第１ロック穴１６が設置され、前記第２固定部品１２には少なくとも１つの第１ロック穴１６と対応する第２ロック穴１７が設置され、前記第２ロック穴１７は差し込み穴１５と連通し、前記第１固定軸１３の両端または第２固定軸１４の両端にはスナップ１８が設置され、前記第１ロック穴１６や第２ロック穴１７にはいずれもスナップ１８に伸ばされるピン１９が設置される。本時計ベルトは製造の際、先ず第１固定軸１３、第２固定軸１４を対応するコネクターに入れて、再び差し込み穴１５中に挿し入れ、その後、ピン１９をスナップ１８に入れてロッキングすれば良いので、組立てがとても便利になり、ロッキング構造は第１固定軸１３と第２固定軸１４の意外の脱着を防げるので、使用上の信頼性がより良くなる。
【００１２】
本技術手段において、第１固定軸１３または第２固定軸１４にスナップ１８を設置し、その中の１つを利用してロッキングする時に、前記第１固定軸１３は軸パイプ２０を含み、前記軸パイプ２０の両端には差し込み穴１５に伸ばされる突出しピン２１が設置され、前記軸パイプ２０の中には突出しピン２１を駆動するスプリング２２が設置され、この時に、第２固定軸１４は単一の独立軸になり、第１固定軸１３に弾性変化が生じるため、より簡単に組み立てることができ、時計ベルトの横方向の微細位置移動によって、着用がより快適になる。
【００１３】
本技術手段において、前記スナップ１８は柱形の溝である。前記ピン１９も柱形で、前記ピン１９がスナップ１８に差し込まれる時に、しっかりとしたロッキング動作が形成され、最適には前記ピン１９はスナップ１８としっかりと嵌め合う。
【００１４】
本技術手段において、前記ピン１９は第１ロック穴１６または第２ロック穴１７としっかりと嵌め合うので、ピン１９が意外に外れないことを保証でき、ロッキングの信頼性を向上する。
【００１５】
＜実施例２＞
本実施例と実施例１との相違点は、前記第１固定部品１１には差し込み穴１５と連通する２つの第１ロック穴１６が設置され、前記第２固定部品１２には差し込み穴１５と連通する２つの第２ロック穴１７が設置され、前記第１固定軸１３と第２固定軸１４の両端にはいずれもスナップ１８が設置される。つまり、本実施例は第１固定軸１３と第２固定軸１４を同時にロッキングすることを利用して、ロッキングの効果を著しく向上することができる。
本実施例のその他の部分は実施例１と同様であるので、こちらではくどく述べないことにする。
【００１６】
＜実施例３＞
本実例と実施例１との相違点は、前記第１固定部品１１には差し込み穴１５と連通する２つの第１ロック穴１６が設置され、前記第１固定軸１３の両端にはいずれもスナップ１８が設置され、前記第２固定軸１４の一端にはスナップ１８が設置される。つまり、第１固定軸１３の両端はいずれもロッキング状態で、第２固定軸１４は一端だけがロッキング状態で、第２固定軸１４反対側の一端は自由端であるので、組立工程を簡略化させることができ、組立て効率を向上し、同様のロッキング効果に達成することができる。
【００１７】
本実施例のその他の部分は実施例１と同様であるので、こちらでは詳細に述べないことにする。
【００１８】
上記内容は本考案の最良の実施方式に過ぎず、本分野の一般技術者なら本考案の構造によって、具体的な実施方式および応用範囲に対して、いずれかの変動をすることができ、本明細書の内容は本考案に対して制限するものであると理解してはならない。
【符号の説明】
【００１９】
１１ 第１固定部品
１２ 第２固定部品
１３ 第１固定軸
１４ 第２固定軸
１５ 差し込み穴
１６ 第１ロック穴
１７ 第２ロック穴
１８ スナップ
１９ ピン
２０ 軸パイプ
２１ 突出しピン
２２ スプリング
【図１】
0003202960.tif 000003
【図２】
0003202960.tif 000004
【図３】
0003202960.tif 000005
【図４】
0003202960.tif 000006
【図５】
0003202960.tif 000007